(57)【特許請求の範囲】
【請求項１】
パチンコ球を一列に整列させて導く整列通路を備えた皿部材と、該整列通路の下流部に開設される球抜穴と、該球抜穴を開閉する球抜き弁とを備えたパチンコ機において、
前記球抜き弁は付勢手段により常時前記球抜穴を閉塞するように付勢されており、
前記球抜き弁の上方に回転方向に動作可能に軸支され該動作と前記球抜き弁を連動させるレバー部材と、該レバー部材の上方に設けられ、前記レバー部材を回転方向に動作させるため下側に作用部を設けると共に下方向に押圧可能に軸支される操作部材とが配設され、
前記球抜き弁は、前記整列通路と前記レバー部材との間を仕切る壁部に開口形成される挿通口を通じて前記球抜穴側に連続する開閉弁部を有し、
前記操作部材は、前記挿通口が形成された壁部の上側に位置し、
前記操作部材の作用部は該操作部材の支持軸と前記レバー部材の支持軸との間で該レバー部材と当接するようになし、前記操作部材を押圧すると前記レバー部材が前記作用部に押圧されることにより回転方向に動作され、前記球抜き弁が前記付勢手段の付勢力に抗してスライドし前記球抜穴を開放することを特徴とするパチンコ機。
【発明の詳細な説明】
【技術分野】
【０００１】
本発明は、パチンコ機に関するものである。
【背景技術】
【０００２】
従来、パチンコ球を一列に整列させて導く整列通路の球抜穴を開閉する球抜き弁を配設したものが例えば実公平７−３１８２５号として開示されている。
【０００３】
前記球抜装置は、図６に示されるように連杆１００にて相互に連結されかつ支持板１０１に回動可能に軸支される等長の第１リンク片１０２ａ及び第２リンク片１０２ｂのそれぞれ一端を球抜き弁１０３に枢着すると共に、第１リンク片１０２ａをばね１０４にて弾発して球抜き弁１０３を常に球抜穴１０５の閉塞位置に維持するようにし、一方、球抜装置を覆うカバー部材１０６の前面部分にプッシュ体１０７を前後方向へ押圧自在に設けると共に該プッシュ体１０７に第１リンク片１０２ａ及び第２リンク片１０２ｂのそれぞれ他端に当接する係合部１０８を形成して構成されている。そして、前記プッシュ体１０７を押圧することにより第１リンク片１０２ａ及び第２リンク片１０２ｂをそれぞれ回動して球抜き弁１０３を球抜穴１０５が開放する位置に移動させるようにしている。
【先行技術文献】
【特許文献】
【０００４】
【特許文献１】実公平７−３１８２５号公報
【発明の概要】
【発明が解決しようとする課題】
【０００５】
従来の球抜装置は、第１・第２リンク片１０２ａ，１０２ｂが軸支される支持板１０１，球抜き弁１０３が枢着される第１・第２リンク片１０２ａ，１０２ｂ及び該各第１・第２リンク片１０２ａ，１０２ｂを連結する連杆１００といった多くの構成部品を必要とすることから、構造が複雑化するという課題が有る。そこで、本発明は上記課題を解決すべくなされたもので、球抜き構造が好適なパチンコ機を提供することを目的とするものである。
【課題を解決するための手段】
【０００６】
かかる目的を達成するため本発明に係るパチンコ機は、パチンコ球を一列に整列させて導く整列通路を備えた皿部材と、該整列通路の下流部に開設される球抜穴と、該球抜穴を開閉する球抜き弁とを備えたパチンコ機において、前記球抜き弁は付勢手段により常時前記球抜穴を閉塞するように付勢されており、前記球抜き弁の上方に回転方向に動作可能に軸支され該動作と前記球抜き弁を連動させるレバー部材と、該レバー部材の上方に設けられ、前記レバー部材を回転方向に動作させるため下側に作用部を設けると共に下方向に押圧可能に軸支される操作部材とが配設され、前記球抜き弁は、前記整列通路と前記レバー部材との間を仕切る壁部に開口形成される挿通口を通じて前記球抜穴側に連続する開閉弁部を有し、前記操作部材は、前記挿通口が形成された壁部の上側に位置し、前記操作部材の作用部は該操作部材の支持軸と前記レバー部材の支持軸との間で該レバー部材と当接するようになし、前記操作部材を押圧すると前記レバー部材が前記作用部に押圧されることにより回転方向に動作され、前記球抜き弁が前記付勢手段の付勢力に抗してスライドし前記球抜穴を開放するように構成される。
【発明の効果】
【０００７】
本発明に係るパチンコ機は、球抜き弁は付勢手段により常時球抜穴を閉塞するように付勢されており、球抜き弁の上方に回転方向に動作可能に軸支され該動作と前記球抜き弁を連動させるレバー部材と、レバー部材の上方に設けられ、レバー部材を回転方向に動作させるため下側に作用部を設けると共に下方向に押圧可能に軸支される操作部材とを配設し、操作部材の作用部は該操作部材の支持軸とレバー部材の支持軸との間でレバー部材と当接するようになし、操作部材を押圧するとレバー部材が作用部に押圧されることにより回転方向に動作され、球抜き弁が付勢手段の付勢力に抗してスライドし前記球抜き穴を開放するものであるから、球抜き構造が好適となる。
【図面の簡単な説明】
【０００８】
【図１】本発明が適用されるパチンコ機の正面図。
【図２】打球供給皿の斜視図。
【図３】同分解斜視図。
【図４】同裏面図。
【図５】図４のＸーＸ線断面図。
【図６】従来の球抜き装置の平面断面図。
【発明を実施するための形態】
【０００９】
以下、本発明に係るパチンコ機における打球供給皿の球抜装置の実施の形態を図面に基づき説明する。図１は本発明が適用されるパチンコ機の正面図である。図において、１はパチンコ機の前面枠、２は該前面枠１の前面に開閉自在に装着されるガラス扉枠、３は該ガラス扉枠２の下方に位置する前面板であり、この前面板３の前面に打球供給皿４が装着されている。５は該打球供給皿４からの余剰のパチンコ球を受け入れるため前面枠１の前面下部に装着される下部球受皿である。
【００１０】
前記打球供給皿４は、図２乃至図４に示されるように皿部材６と該皿部材６の前面外側を覆うカバー部材７とから構成され、複数の間隔保持突起８，８…を介してビス９の締着により一体化される。前記皿部材６はパチンコ球を貯留する皿部１０と、該皿部１０の前側外周を囲う囲板部１１を有する。また、前記皿部１０は底部が一側方に緩やかに下り傾斜し、その傾斜下部にパチンコ球が一列に整列されて導かれる整列通路１２が形成され、該整列通路１２の下流端の底面に球抜穴１３が開設されている。
【００１１】
前記球抜穴１３と対応位置して皿部材６の直立壁部６ａに横長の挿通口１４が開設され、該直立壁部６ａの前側に挿通口１４を囲いかつ上面が開放されるガイド枠１５が設けられている。１６は該ガイド枠１５の上方前側を囲う囲枠であり、両側に突出する突片１７，１７の通孔１８，１８を介して前記直立壁部６ａの前面側に突設される間隔保持突起８，８の先端の螺子孔８ａにそれぞれビス１９，１９を螺合することにより取着される。該囲枠１６の上面は開口２０し、前側壁１６ａの下端部内側に前記ガイド枠１５内に臨む支持突起２１が設けられている。また、前記囲枠１６が前記直立壁部６ａの前側に取着されることにより、該直立壁部６ａの前面から前方へ突出する一対の上部支持片部２２，２２と下部支持片部２３，２３との先端にそれぞれ上部軸受部２４，２４と下部軸受部２５，２５とが設けられる。
【００１２】
前記ガイド枠１５内には整列通路１２に対し直交する方向にスライドして前記球抜穴１３を開閉する球抜き弁２６が配設される。該球抜き弁２６は先端に前記挿通口１４を介して球抜穴１３を開閉する開閉弁部２６ａを備え、上面両側に一対の係合穴２７，２７が設けられる。また、中央に前記支持突起２１と対応位置する凹窪部２８が形成され、その奥端部に突片２９が立設されている。３０は一端を前記支持突起２１に嵌装され他端を突片２９に圧接するようにして取り付けられる圧縮コイルバネであり、該圧縮コイルバネ３０により球抜き弁２６は開閉弁部２６ａが常時球抜穴１３を閉塞するように付勢されている。
【００１３】
また、前記球抜き弁２６の上方に両側の支持軸３１，３１を前記下部軸受部２５，２５に軸支されて自在に揺動するレバー部材３２が配設される。該レバー部材３２は水平片部３２ａと垂直片部３２ｂとからなる側面逆Ｌ字状に形成され、垂直片部３２ｂに前記球抜き弁２６の両係合穴２７，２７に嵌合する二又状の係合対片３３，３３が設けられている。
【００１４】
更に、前記レバー部材３２の上方には両側の支持軸３４，３４を前記上部軸受部２４，２４に軸支され上下方向へ自在に押圧可能な操作部材３５が配設される。該操作部材３５はその下側に垂下される作用板３６がレバー部材３２の水平片部３２ａの上面に接触し、前記囲枠１６の上面の開口２０から上方に突出して位置している。
【００１５】
本発明に係るパチンコ機の打球供給皿の球抜装置は上記構成からなり、次にその作用について説明する。まず、常態では圧縮コイルバネ３０の弾発力により球抜き弁２６が球抜穴１３を閉塞している。そこで、打球供給皿４の皿部１０に貯留されているパチンコ球を抜き取る場合には、図５鎖線に示されるように操作部材３５を指で下方へ押圧すると、レバー部材３２が図５時計方向に揺動して前記球抜き弁２６が圧縮コイルバネ３０の弾発力に抗して整列通路１２に対し直交する方向で、かつ前側へスライドして球抜穴１３を開放するものであり、これによって皿部１０のパチンコ球は球抜穴１３から球抜通路（図示せず。）に落下し球抜きすることができる。因に、球抜通路に落下したパチンコ球は下部球受皿５に貯留される。
【００１６】
そして、操作部材３５から指を離すと、圧縮コイルバネ３０の復元力によって球抜き弁２６が後方向へスライドして開閉弁部２６ａにより球抜穴１３を閉塞し、同時にレバー部材３２が図５実線位置に回動復帰する。また、操作部材３５もレバー部材３２の復帰と共に元の位置に復帰する。
【符号の説明】
【００１７】
４            打球供給皿
６            皿部材
７            カバー部材
１２          整列通路
１３          球抜穴
２６          球抜き弁
２７，２７    係合穴
３０          圧縮コイルバネ
３２          レバー部材
３３，３３    係合対片
３５          操作部材
【図１】
0005590082.tif 000002
【図２】
0005590082.tif 000003
【図３】
0005590082.tif 000004
【図４】
0005590082.tif 000005
【図５】
0005590082.tif 000006
【図６】
0005590082.tif 000007